(57)【特許請求の範囲】
【請求項１】
ガイド溝を形成した後に前記ガイド溝に沿って前進しながら可撓性を有する暗渠排水管を送り出して敷設し、敷設した前記暗渠排水管を疎水材で覆って暗渠排水を形成する、ガイド溝および暗渠排水を形成する暗渠排水形成装置において、
暗渠排水管の上に疎水材を投入する疎水材投入シュートと、土壌を切り開いて溝を形成する掘削体が一体に設けられるとともに、掘削体の後部に暗渠排水管を案内して溝内に繰り出す管状の暗渠排水管案内部が設けられ、
掘削体上部にバックホーのアームに取り付ける取付部材が、掘削体の向きを１８０度反対位置に回転可能な回転部を介して前記切削体と、前記ガイド溝を形成する際には回転できないように接続されまた、暗渠排水を形成する際にはバックホーに対して回転自在の状態になるように接続されていることを特徴とする、ガイド溝および暗渠排水を形成する暗渠排水形成装置。
【請求項２】
回転部が回転部材の上部に形成した凸部が入る凹部が取付部材に形成され、凹部の内周に形成した摺動溝内に凸部に設けた摺動板が摺動可能に支持されていることを特徴とする、請求項１記載のガイド溝および暗渠排水を形成する暗渠排水形成装置。
【請求項３】
ガイド溝を形成する際に、切削体の回転を阻止する留め具を備えたことを特徴とする、請求項１又は２記載のガイド溝および暗渠排水を形成する暗渠排水形成装置。
【発明の詳細な説明】
【技術分野】
【０００１】
本発明は、圃場の排水暗渠形成予定位置にあらかじめガイド溝を形成し、その後、暗渠排水管を敷設しながら暗渠排水管の上に疎水材を被覆して排水暗渠を形成する排水暗渠形成装置に関する。
【背景技術】
【０００２】
暗渠排水管敷設装置を使用して暗渠排水管を圃場の地中に敷設し、この暗渠排水管の上に疎水材を被覆して形成した暗渠排水を介して圃場からの排水を行ったり、圃場の地下水位を制御したりすることが行われている。
【０００３】
暗渠排水管敷設装置として、例えば、特許文献１には、通水パイプ埋設溝の掘削部と、この掘削部で形成した通水パイプ埋設溝の底部に向けて通水パイプを送り出す通水パイプガイド部と、通水パイプガイド部から溝底部に送り出された通水パイプの上部に疎水材を投入する疎水材投入部とを備えた排水暗渠形成装置が記載されている。
【０００４】
図７に示すように、排水暗渠形成装置を使用して排水暗渠を形成する前に、あらかじめ通水パイプ埋設溝の溝幅以下の溝幅を有するガイド溝２１を形成する。ガイド溝２１は、バックホー２２に設けられているアーム２３の先端にガイド溝形成用のブレードを備えた掘削具２４を用いて形成する。排水暗渠形成予定位置の土中に含まれる石がガイド溝を形成するときにブレードによりガイド溝の左右いずれかに移動するので、ガイド溝に続く通水パイプ埋設溝の掘削形成を石に邪魔されずに容易に行えるとともに、土中の石を地表面に浮き上がらせることがないので、耕作作業に悪影響を与えることもない。
【０００５】
その後、排水暗渠形成装置をガイド溝に沿って移動させて溝底部に通水パイプを送り出し、通水パイプの上に疎水材を投入して排水暗渠を形成する。
【先行技術文献】
【特許文献】
【０００６】
【特許文献１】特開２００６−００２４００号公報
【発明の概要】
【発明が解決しようとする課題】
【０００７】
前記特許文献１に記載の方式においては、ガイド溝を形成するための掘削具を装着したバックホーと、排水暗渠を形成するための排水暗渠形成装置を装着したブルドーザーなどの牽引車を個別に用意する必要がある。あるいは、掘削具と排水暗渠形成装置を１台のバックホーのアームに装着して作業する場合、ガイド溝形成作業あるいは排水暗渠形成が終了した後に、掘削具あるいは排水暗渠形成装置を外して交換しなければならないため、作業に手間がかかるという欠点がある。
【０００８】
また、ガイド溝に沿って排水暗渠形成装置を押していく場合、掘削具がガイド溝からずれると、掘削具が作業車に固定されているためにガイド溝に沿って進まなくなってたびたび作業が中断して作業能率が悪い、という問題があった。
【０００９】
そこで、本発明は、ガイド溝形成作業と排水暗渠形成作業が同一の装置で実施可能であり且つ掘削体がガイド溝に沿ってスムーズに進むことが可能な排水暗渠形成装置を提供するものである。
【課題を解決するための手段】
【００１０】
本発明のガイド溝および暗渠排水を形成する暗渠排水形成装置は、ガイド溝を形成した後に前記ガイド溝に沿って前進しながら可撓性を有する暗渠排水管を送り出して敷設し、敷設した前記暗渠排水管を疎水材で覆って暗渠排水を形成する、ガイド溝および暗渠排水を形成する暗渠排水形成装置において、暗渠排水管の上に疎水材を投入する疎水材投入シュートと、土壌を切り開いて溝を形成する掘削体が一体に設けられるとともに、掘削体の後部に暗渠排水管を案内して溝内に繰り出す管状の暗渠排水管案内部が設けられ、掘削体上部にバックホーのアームに取り付ける取付部材が、掘削体の向きを１８０度反対位置に回転可能な回転部を介して前記切削体と、前記ガイド溝を形成する際には回転できないように接続されまた、暗渠排水を形成する際にはバックホーに対して回転自在の状態になるように接続されていることを特徴とする。
【発明の効果】
【００１１】
本発明の暗渠排水形成装置は、単一の装置でガイド溝と暗渠排水を形成することができるので、ガイド溝形成装置と暗渠排水形成装置を個別に用意する必要がなく、あるいは、ガイド溝形成装置と暗渠排水形成装置を交換する作業もなくなる。
【００１２】
また、本発明は、切削体がバックホーのアームに対して回転自在であるため、切削体が抵抗を受けてもガイド溝に沿って回動するので、スムーズに進むことが可能となる。
【図面の簡単な説明】
【００１３】
【図１】本発明の暗渠排水形成装置の側面図である。
【図２】本発明の暗渠排水形成装置の正面図である。
【図３】本発明の暗渠排水形成装置の回転部分を示す図である。
【図４】本発明の暗渠排水形成装置の斜視図である。
【図５】本発明の暗渠排水形成装置でガイド溝を形成する状態を示す図である。
【図６】本発明の暗渠排水形成装置で疎水材を投入する状態を示す図である。
【図７】従来の掘削具でガイド溝を形成する状態を示す図である。
【発明を実施するための形態】
【００１４】
本発明の実施例について図面を参照しながら説明する。
【実施例】
【００１５】
図１〜図４において、暗渠排水形成装置１は、疎水材投入シュート２と切削体３を備え、これらが一体に形成されている。
【００１６】
疎水材投入シュート２の上部には疎水材を貯留するホッパー４が形成されている。疎水材投入シュート２から、疎水材（例えば、もみ殻、木材チップ）が溝内に敷設された暗渠排水管の上に投入される。
【００１７】
土を掘削して溝を形成する切削体３の上部にバックホー１７のアーム１８（図５）に取り付ける取付部材５が設けられている。取付部材５と切削体４は回転可能に接続されている。取付部材５はリンク機構を介してバックホーのアームに接続され、リンク機構を作動させて暗渠排水管形成装置１を所定のレベルに保持して所定の掘削深さを維持する。
【００１８】
取付部材５と切削体３は回転機構６を介して回転可能に接続される。回転機構は、例えば、回転部６の下部を切削体３に固定し、回転部６の上部に形成した凸部７に摺動板８を固定する。取付部材５には凸部７が入る凹部９が形成され、この凹部９の内周に形成した摺動溝１０内に摺動板８を摺動可能に支持することにより取付部材５と切削体３を回転可能に接続することができる。切削体３は、ガイド溝を形成する際には、ボルトなどの留め具で固定して回転できないようにする。
【００１９】
掘削体３は、前縁に掘削刃１１が形成され、その下端部に掘進部材１２が取付けられている。掘削体３の前進により掘進部材１２が掘進するとともに、掘削刃１１により土壌が切り開かれてガイド溝１９（図５）が形成されていく。
【００２０】
掘削体３の後部には、可撓性を有する暗渠排水管１６（図６）を、掘削体３により形成された溝の底に連続的に繰り出して敷設していくために、暗渠排水管を案内する湾曲した管状の暗渠排水管案内部１３が上下方向に形成されている。暗渠排水管案内部１３に暗渠排水管がリールから巻き戻されて導入される。
【００２１】
暗渠排水管案内部１３の下端には、縦溝内に繰り出される暗渠排水管を上から押さえて縦溝の底部に圧着するために、管押さえローラ１４が配置されている。管押さえローラ１４は、暗渠排水管の径の大小に応じて昇降させてレベルの調整が可能となっている。
【００２２】
暗渠排水管形成装置１にはレーザ受光器用マスト１５が立設されており、圃場内のレーザ発行器から発するレーザによりレベルが測定され、暗渠排水管形成装置１が一定レベルに保持されるようにリンク機構を作動させて地中貫入深さが制御される。
【００２３】
本発明の暗渠排水形成装置の使用方法について説明する。
【００２４】
図５に示すように、バックホー１７のアーム１８に暗渠排水管形成装置１の取付部材５を装着する。ガイド溝１９を形成するため、掘削体３の掘削刃をバックホー側に回転させて固定する。その後、排水暗渠形成予定位置に暗渠排水管形成装置１を降ろし、バックホー１７で牽引して掘削体３でガイド溝１９を形成する。土中に含まれる石はガイド溝１９を形成するときにガイド溝の左右いずれかに移動するので、ガイド溝に続く通水パイプ埋設溝の掘削形成を石に邪魔されずに容易に行えるとともに、土中の石を地表面に排出することがないので、耕作作業に影響を与えることもなくない。
【００２５】
図６に示すように、掘削体３でガイド溝１９を形成した後に、留め具を外して掘削体３と疎水材投入シュートを１８０度回転させることにより掘削体３をバックホー１７の反対側に向ける。
【００２６】
疎水材投入シュート２のホッパーに疎水材２０を貯留した後、バックホー１７で暗渠排水管形成装置１を押していく。掘削体３はガイド溝１９に沿って前進する。
【００２７】
掘削体３の前進により掘進部材１２が掘進するとともに、掘削刃１１によりガイド溝１９が切り開かれていく。これとともに、可撓性を有する暗渠排水管１６が管状の暗渠排水管案内部１３に導入されて溝の底に連続的に繰り出して敷設していく。さらに疎水材投入シュート２から疎水材２０が投入されて暗渠排水管１６の上を被覆していく。暗渠排水形成装置１を押していく際に、暗渠排水管形成装置１は、バックホー１７に対して回転自在の状態になっているので、ガイド溝１９に倣ってスムーズに進行して作業が中断することもないので、効率よく暗渠排水を形成することが可能となる。
【符号の説明】
【００２８】
１：暗渠排水形成装置
２：疎水材投入シュート
３：切削体
４：ホッパー
５：取付部材
６：回転部
７：凸部
８：摺動板
９：凹部
１０：摺動溝
１１：掘削刃
１２：掘進部材
１３：暗渠排水管案内部
１４：管押さえローラ
１５：レーザ受光器用マスト
１６：暗渠排水管
１７：バックホー
１８：アーム
１９：ガイド溝
２０：疎水材
２１：ガイド溝
２２：バックホー
２３：アーム
２４：掘削具
【図１】
0005521246.tif 000002
【図２】
0005521246.tif 000003
【図３】
0005521246.tif 000004
【図４】
0005521246.tif 000005
【図５】
0005521246.tif 000006
【図６】
0005521246.tif 000007
【図７】
0005521246.tif 000008